(57)【特許請求の範囲】
【請求項１】
地上マルチメディア放送波として送信されるセグメント連結送信信号を受信して、該セグメント連結送信信号の信号強度を測定し、該測定結果を表示器（２７）の画面上に表示する電界強度測定装置において、
前記セグメント連結送信信号の信号強度を測定するセグメント連結送信信号測定部（２２）と、
前記セグメント連結送信信号を構成する複数セグメントのそれぞれのセグメントの信号強度を測定するセグメント測定部（２３）と、
前記セグメント連結送信信号測定部の測定結果と前記セグメント連結送信信号を構成するセグメント数とからセグメントあたりの信号強度の平均値を算出するセグメント平均値算出手段（２４）と、
前記セグメント測定部で測定された前記セグメント連結送信信号を構成する複数セグメントのそれぞれの信号強度の測定値と、前記セグメント平均値算出手段で算出された前記セグメントあたりの信号強度の平均値とを受けて、当該測定値と当該平均値との差である相対値を前記セグメント連結送信信号を構成する複数セグメントのそれぞれについて算出する相対値算出手段（２５）と、
前記相対値算出手段により得られた前記セグメント連結送信信号を構成する複数のセグメントそれぞれの算出結果をセグメント連結順に並べたグラフと前記セグメント連結送信信号測定部の測定結果のグラフとを前記表示器に表示し、さらに前記複数のセグメントそれぞれの算出結果をセグメント連結順に並べたグラフの背景色を前記セグメント連結送信信号内に配置されるスーパーセグメントのくくり毎に変えて前記表示器に表示する表示制御部（２６）とを設けたことを特徴とする電界強度測定装置。
【請求項２】
前記表示制御部は、前記セグメント連結送信信号内に配置されるタイプＡスーパーセグメントの中央セグメントを前記複数のセグメントそれぞれの算出結果をセグメント連結順に並べたグラフ上で識別できるよう前記表示器に表示することを特徴とする請求項１記載の電界強度測定装置。
【請求項３】
地上マルチメディア放送波として送信されるセグメント連結送信信号を受信して、該セグメント連結送信信号の信号強度を測定し、該測定結果を表示する電界強度測定方法において、
前記セグメント連結送信信号の信号強度を測定するセグメント連結送信信号測定段階と、
前記セグメント連結送信信号を構成する複数セグメントのそれぞれのセグメントの信号強度を測定するセグメント測定段階と、
前記セグメント連結送信信号測定段階の測定結果と前記セグメント連結送信信号を構成するセグメント数とからセグメントあたりの信号強度の平均値を算出するセグメント平均値算出段階と、
前記セグメント測定段階で測定された前記セグメント連結送信信号を構成する複数セグメントのそれぞれの信号強度の測定値と、前記セグメント平均値算出段階で算出された前記セグメントあたりの信号強度の平均値とを受けて、当該測定値と当該平均値との差である相対値を前記セグメント連結送信信号を構成する複数セグメントのそれぞれについて算出する相対値算出段階と、
前記相対値算出段階により得られた前記セグメント連結送信信号を構成する複数のセグメントそれぞれの算出結果をセグメント連結順に並べたグラフと前記セグメント連結送信信号測定部の測定結果のグラフとを前記表示器に表示し、さらに前記複数のセグメントそれぞれの算出結果をセグメント連結順に並べたグラフの背景色を前記セグメント連結送信信号内に配置されるスーパーセグメントのくくり毎に変えて表示するグラフ表示段階とを設けたことを特徴とする電界強度測定方法。
【請求項４】
前記グラフ表示段階は、前記セグメント連結送信信号内に配置されるタイプＡスーパーセグメントの中央セグメントを前記複数のセグメントそれぞれの算出結果をセグメント連結順に並べたグラフ上で識別できるよう表示することを特徴とする請求項３記載の電界強度測定方法。
【発明の詳細な説明】
【技術分野】
【０００１】
本発明は、電波によるサービスを行うにあたって必要な信号強度を測定する技術に関し、特に地上マルチメディア放送波の信号強度測定を容易にするための技術に関する。ここで信号強度とは、電力や電界強度などの測定地点での信号の強さを示す値であり、以降の説明では電力と電界強度を用いて説明する。
【背景技術】
【０００２】
テレビ放送はアナログ方式からデジタル方式に移行し、デジタル方式による地上デジタル放送が開始されている。さらに、テレビ放送のデジタル化により空きスペースとなるＶＨＦ帯の２０７．５ＭＨｚ〜２２２ＭＨｚでは、デジタル方式による地上マルチメディア放送が計画されている。またこれらのデジタル方式の電波の伝搬状態を調べるために、各地で電界強度測定が行われている。
【０００３】
例えば、地上デジタルテレビ放送波の電界強度測定を行うシステムとしては、図３に示すように、測定地点の電波を受けるアンテナ１を設置し、そのアンテナ１の出力信号を周波数変換部１１に入力して所望チャンネルの放送波を選択的に中間周波数帯に変換し、チャンネル測定部１２に入力する。
【０００４】
チャンネル測定部１２は、周波数変換部１１から出力された信号Ｓの電力（チャンネル電力という）Ｐを求め、そのチャンネル電力Ｐ、アンテナ１の特性、ケーブル損失などに基づいて電界強度Ｆ（ｄＢμＶ／ｍ）の値を算出する。
【０００５】
セグメント測定部１３は、周波数変換部１１から出力された信号Ｓのうちの特定セグメントの信号電力Ｐsegを求め、その信号電力Ｐsegとアンテナ係数などの情報から電界強度Ｆseg を求める。
【０００６】
測定されたチャンネル電力Ｐや電界強度Ｆ、特定セグメントの電力Ｐsegは、表示制御部１４により表示器１５の画面上に数値あるいはグラフ化されて表示される。作業者は例えばアンテナ１の向きや高さを変化させ、その変化に対するチャンネル電力Ｐや電界強度Ｆ、特定セグメントの電力Ｐsegや電界強度Ｆsegの変化を調べる。
【０００７】
上記のように所望チャンネルのチャンネル電力Ｐや電界強度Ｆ、特定セグメントの電力Ｐsegを測定して表示器に表示する電界強度測定装置は、例えば次の特許文献１に開示されている。
【０００８】
【特許文献１】特開２００７−１９８９３６号公報
【０００９】
地上デジタルテレビ放送の技術規格ＩＳＤＢ−Ｔでは、１チャンネルは、図４に示すように、幅約４３０ＫＨｚのセグメント１３個により構成され、隣り合うチャンネルはガードバンド（ＧＢ）と呼ばれる未使用周波数帯域により分離されている。
【００１０】
また、それぞれのチャンネル毎に放送事業者は異なっているため、地上デジタル放送に関する電界強度測定においては、各チャンネル毎（１３のセグメント単位）に測定を行えば良かった。
【発明の概要】
【発明が解決しようとする課題】
【００１１】
地上マルチメディア放送の技術規格ＩＳＤＢ−Ｔｍｍでは、図５に示すように、地上マルチメディア放送に割り当てられた周波数帯域（ＶＨＦ帯の２０７．５ＭＨｚ〜２２２ＭＨｚ）は３３のセグメント（ＳＥＧ０〜ＳＥＧ３２）により構成されている。なお、以降の説明においては、セグメント番号であるＳＥＧ０〜ＳＥＧ３２のそれぞれを、セグメント０〜セグメント３２と呼ぶこともある。
【００１２】
このとき各セグメントの間はガードバンドによる分離はされておらず、３３セグメントの信号が連結され、セグメント連結送信信号として放送用基地局より送信される。また、３３セグメント内には、タイプＡスーパーセグメントと呼ばれる１３セグメント形式によるスーパーセグメントが２つと、タイプＢスーパーセグメントと呼ばれる１セグメント形式によるスーパーセグメントが７つ配置されている。
【００１３】
また、地上マルチメディア放送では、地上デジタルテレビ放送とは異なり、放送用基地局設備を持たない複数の委託放送事業者から番組やコンテンツを受託放送事業者が受け取り、受け取った番組やコンテンツについて受託放送事業者がセグメント連結送信信号を作成し放送用基地局から送信する。
【００１４】
従って、セグメント連結送信信号のセグメント毎に委託放送事業者は異なる場合があり、それぞれの委託放送事業者は、自身の使用するセグメントについて測定する必要がある。一方で受託放送事業者は放送用基地局より送信するセグメント連結送信信号全体について測定する必要がある。
【００１５】
さらに、地上マルチメディア放送では、番組やコンテンツによって１３セグメント形式のタイプＡスーパーセグメントを使用する場合や１セグメント形式のタイプＢスーパーセグメントを利用する場合があり、測定者はスーパーセグメントを意識してセグメント連結送信信号を測定する必要もある。
【００１６】
ここで１セグメント電界強度は、セグメント連結送信信号の電界強度Ｆの１／３３の演算で求めることができ、この算出値をセグメント連結送信信号の電力や電界強度とともに表示器に表示することが考えられる。
【００１７】
しかし、実際の電波伝搬路の周波数特性は、建物の反射（マルチパス）等の影響を受けるため、図６のようにセグメント連結送信信号全体にわたって平坦にならない場合が多く、セグメント連結送信信号全体では十分な電界強度があっても、特定セグメントの電界強度が十分でない場合が発生し、上記のような単純計算で得られた電界強度では正確な情報を得ることが困難である。
【００１８】
また、たとえ１セグメントの電界強度を実測し、その実測結果を単純表示したのでは、マルチパスの影響を受けているか否かを判断することは困難である。
【００１９】
このとき、セグメント連結送信信号の３３セグメント全体に渡り、その電界強度や電力の絶対値を単純にグラフ表示する方法も考えられる。
【００２０】
この方法によれば、マルチパスの影響を受けているか否かを確認することはできる。しかし、たとえセグメント間の電界強度や電力が上下する幅が同じだとしても、セグメント連結送信信号全体の電界強度や電力によって、受信する端末側での影響は同じではない。セグメント連結送信信号全体の電界強度や電力が高い場合はその影響は小さく、低くなるほどその影響は大きくなる。
【００２１】
しかし、セグメント連結送信信号の電界強度や電力の絶対値を単純に表示した場合、セグメント連結送信信号全体の電界強度や電力の絶対値によって表示スケールが決定されるためセグメント間のばらつきが測定者にとって適切なスケールで表示されることは期待できない。
【００２２】
本発明は、これらの課題を解決し、セグメント連結送信信号の各セグメントの信号電力や電界強度の実測が可能で、しかも各セグメントがマルチパスなどの影響を受けているか否かを容易に把握できる電界強度測定装置を提供することを目的としている。
【課題を解決するための手段】
【００２３】
前記目的を達成するために、本発明の請求項１の電界強度測定装置は、
地上マルチメディア放送波として送信されるセグメント連結送信信号を受信して、該セグメント連結送信信号の信号強度を測定し、該測定結果を表示器（２７）の画面上に表示する電界強度測定装置において、
前記セグメント連結送信信号の信号強度を測定するセグメント連結送信信号測定部（２２）と、
前記セグメント連結送信信号を構成する複数セグメントのそれぞれのセグメントの信号強度を測定するセグメント測定部（２３）と、
前記セグメント連結送信信号測定部の測定結果と前記セグメント連結送信信号を構成するセグメント数とからセグメントあたりの信号強度の平均値を算出するセグメント平均値算出手段（２４）と、
前記セグメント測定部で測定された前記セグメント連結送信信号を構成する複数セグメントのそれぞれの信号強度の測定値と、前記セグメント平均値算出手段で算出された前記セグメントあたりの信号強度の平均値とを受けて、当該測定値と当該平均値との差である相対値を前記セグメント連結送信信号を構成する複数セグメントのそれぞれについて算出する相対値算出手段（２５）と、
前記相対値算出手段により得られた前記セグメント連結送信信号を構成する複数のセグメントそれぞれの算出結果をセグメント連結順に並べたグラフと前記セグメント連結送信信号測定部の測定結果のグラフとを前記表示器に表示し、さらに前記複数のセグメントそれぞれの算出結果をセグメント連結順に並べたグラフの背景色を前記セグメント連結送信信号内に配置されるスーパーセグメントのくくり毎に変えて前記表示器に表示する表示制御部（２６）とを設けたことを特徴としている。
【００２４】
また、本発明の請求項２の電界強度測定装置は、請求項１記載の電界強度測定装置において、
前記表示制御部は、前記セグメント連結送信信号内に配置されるタイプＡスーパーセグメントの中央セグメントを前記複数のセグメントそれぞれの算出結果をセグメント連結順に並べたグラフ上で識別できるよう前記表示器に表示することを特徴としている。
【００２６】
また、本発明の請求項３の電界強度測定方法は、
地上マルチメディア放送波として送信されるセグメント連結送信信号を受信して、該セグメント連結送信信号の信号強度を測定し、該測定結果を表示する電界強度測定方法において、
前記セグメント連結送信信号の信号強度を測定するセグメント連結送信信号測定段階と、
前記セグメント連結送信信号を構成する複数セグメントのそれぞれのセグメントの信号強度を測定するセグメント測定段階と、
前記セグメント連結送信信号測定段階の測定結果と前記セグメント連結送信信号を構成するセグメント数とからセグメントあたりの信号強度の平均値を算出するセグメント平均値算出段階と、
前記セグメント測定段階で測定された前記セグメント連結送信信号を構成する複数セグメントのそれぞれの信号強度の測定値と、前記セグメント平均値算出段階で算出された前記セグメントあたりの信号強度の平均値とを受けて、当該測定値と当該平均値との差である相対値を前記セグメント連結送信信号を構成する複数セグメントのそれぞれについて算出する相対値算出段階と、
前記相対値算出段階により得られた前記セグメント連結送信信号を構成する複数のセグメントそれぞれの算出結果をセグメント連結順に並べたグラフと前記セグメント連結送信信号測定部の測定結果のグラフとを前記表示器に表示し、さらに前記複数のセグメントそれぞれの算出結果をセグメント連結順に並べたグラフの背景色を前記セグメント連結送信信号内に配置されるスーパーセグメントのくくり毎に変えて表示するグラフ表示段階とを設けたことを特徴としている。
【００２７】
また、本発明の請求項４の電界強度測定方法は、請求項３記載の電界強度測定方法において、
前記グラフ表示段階は、前記セグメント連結送信信号内に配置されるタイプＡスーパーセグメントの中央セグメントを前記複数のセグメントそれぞれの算出結果をセグメント連結順に並べたグラフ上で識別できるよう表示することを特徴としている。
【発明の効果】
【００２９】
本発明の電界強度測定装置は、セグメント連結送信信号の各セグメントの信号電力および電界強度を実測でき、しかもその実測結果と、演算で得られた１セグメント当たりの信号電力や電界強度の平均値との差を画面上で識別できるように表示している。
【００３０】
このため、特定セグメントの信号電力や電界強度の絶対値だけでなく、１セグメント当たりの平均的な値に対する特定セグメントの実測値の大小比較を容易に行え、その表示情報からマルチパスなどによるセグメント連結送信信号全体の周波数特性の劣化の有無等も容易に判る。
【００３１】
また、セグメント連結送信信号全体の信号電力や電界強度の絶対値に依存することなく、マルチパスによる各セグメント間の信号電力や電界強度のばらつきを適切なスケールで確認することが出来る。
【図面の簡単な説明】
【００３２】
【図１】本発明の実施形態の構成を示す図
【図２】実施形態の測定結果の表示例を示す図
【図３】従来装置の構成を示す図
【図４】地上デジタルテレビ放送波のチャンネル構成図
【図５】地上マルチメディア放送波のセグメント構成図
【図６】地上マルチメディア放送波の伝搬周波数特性例
【発明を実施するための最良の形態】
【００３３】
以下、図面に基づいて本発明の実施の形態を説明する。
図１は、本発明を適用した電界強度測定装置２０の構成を示している。
【００３４】
この電界強度測定装置２０は、前記した従来装置と同様に、測定地点に設置したアンテナ１の出力信号を周波数変換部２１に入力してセグメント連結送信信号を中間周波数帯に変換し、その信号Ｓをセグメント連結送信信号測定部２２およびセグメント測定部２３に入力する。
【００３５】
セグメント連結送信信号測定部２２は、入力信号Ｓの電力、即ちセグメント連結送信信号の電力Ｐを求め、そのセグメント連結送信信号の電力Ｐとアンテナ１の係数等に基づいてセグメント連結送信信号の電界強度Ｆを求める。なお、ここでは電力として単位ｄＢμＶ（ｅｍｆ）で示される開放端電圧値を用いて説明するが、単位ｄＢｍ等の別の単位で示される値を用いても良い。
【００３６】
セグメント測定部２３は、入力信号Ｓの３３セグメント（ＳＥＧ０〜ＳＥＧ３２）のそれぞれのセグメントについて信号電力Ｐseg０〜Ｐseg３２を求め、その信号電力Ｐseg０〜Pseg３２とアンテナ係数などの情報からそれぞれのセグメントの電界強度Ｆseg０〜Ｆseg３２を求める。これらの２つの測定部２２、２３の処理は例えばＤＳＰ等によるデジタルフィルタリングおよび演算処理で行われる。
【００３７】
ここで、セグメント測定部による３３セグメントそれぞれに対する処理は、ＤＳＰ等を複数（例えば３３個）用意し、複数のセグメントについて同時に処理しても、1つのＤＳＰ等により時分割で処理するように構成することも可能である。
【００３８】
セグメント平均値算出手段２４は、セグメント連結送信信号の電力Ｐおよびセグメント連結送信信号の電界強度Ｆと、そのセグメント連結送信信号のセグメント数ｍ（＝３３）とから、１セグメント当たりの電力Ｐｒおよび電界強度Ｆｒを次の演算で求める。
【００３９】
Ｆｒ＝Ｆ−１０ log ｍ
＝Ｆ−１０ log ３３＝Ｆ−１５．１９    （ｄＢμＶ／ｍ）
Ｐｒ＝Ｐ−１５．１９    ［ｄＢμＶ（ｅｍｆ）］
【００４０】
上記演算で得られる電界強度Ｆｒ、信号電力Ｐｒは、各セグメントの電界強度と信号電力の平均値であり、セグメント連結送信信号全体の周波数特性が平坦である理想状態における各セグメントの電界強度と信号電力の値を表している。
【００４１】
相対値算出手段２５は、上記電界強度Ｆｒに対する各セグメントの実測の電界強度Ｆsegの相対値ΔＦｎ（ｎ：０〜３２）、即ち、
ΔＦｎ＝Ｆsegｎ −Ｆｒ    （ｄＢ）  （ｎ：０〜３２）
を求める。
【００４２】
また、電力Ｐｒ、Ｐseg についても次の演算、
ΔＰｎ＝Ｐsegｎ −Ｐｒ    （ｄＢ）  （ｎ：０〜３２）
で相対値ΔＰｎ（ｎ：０〜３２）を求める。なお、アンテナ係数がセグメント連結送信信号内で一定であれば、両相対値ΔＦｎ、ΔＰｎは等しい。
【００４３】
表示制御部２６は、セグメント連結送信信号の電力Ｐ、セグメント連結送信信号の電界強度Ｆ、１セグメント当たりの電力Ｐｒ、１セグメント当たりの電界強度Ｆｒ、各セグメントの電力Ｐseg０〜Ｐseg３２、各セグメントの電界強度Ｆseg０〜Ｆseg３２ 、電界強度Ｆｒに対する各セグメントの実測の電界強度Ｆsegの相対値ΔＦ０〜ΔＦ３２を受け、これらの情報を表示器２７の画面上に所定のレイアウトで表示する。
【００４４】
より詳細には、表示制御部２６は、測定結果表示制御部２６１、セグメント連結表示制御部２６２、スーパーセグメント表示制御部２６３、特定セグメント表示制御部２６４を備えて構成されている。
【００４５】
測定結果表示制御部２６１は、セグメント連結送信信号測定部２２の測定結果であるセグメント連結送信信号の電力Ｐ、電界強度Ｆの表示器２７の画面上への表示を制御する。
【００４６】
セグメント連結表示制御部２６２は、相対値算出手段２５の算出結果である、セグメント連結送信信号全体の平均電力と各セグメントの実測の電力とから算出した各セグメントの相対値をセグメントの連結順に並べたグラフとしてスケールとともに表示器２７の画面上への表示するための制御を行う。
【００４７】
スーパーセグメント表示制御部２６３は、セグメント連結送信信号全体の平均電力に対する各セグメントの相対値がセグメントの連結順に表示されたグラフ上でスーパーセグメントの区切り、およびタイプＡスーパーセグメントの中央セグメントを識別可能に表示するための制御を行う。なお、図示しない操作部からの指定により中央セグメントではなく、他のセグメントを識別可能に表示することも可能である。
【００４８】
特定セグメント表示制御部は、セグメント測定部２３の測定結果である３３セグメントのそれぞれのセグメントの電力Ｐseg０〜Ｐseg３２、電界強度Ｆseg０〜Ｆseg３２のうち図示しない操作部から指定されたセグメントの測定結果の表示器２７の画面上への表示と、セグメント連結送信信号全体の平均電力に対する各セグメントの相対値がセグメントの連結順に表示されたグラフ上で指定されたセグメントを識別可能に表示するための制御を行う。
【００４９】
図２は、その表示レイアウトの一例を示すものであり、上段左側には、セグメント連結送信信号全体（３３Ｓｅｇｍｅｎｔ）５０の電力Ｐ値「６８．２８」と電界強度Ｆの値「８７．６５」が表示され、上段右側には特定セグメント（１Ｓｅｇｍｅｎｔ  ＠Ｎｏ）５１の電力Ｐsegの値「５８．２８」と電界強度Ｆsegの値「７７．６５」が表示されている。なお、ここでは特定セグメントは図示しない操作部から指定されたセグメント（セグメント２３）の値が表示されている。
【００５０】
また、下段にはセグメント連結送信信号全体の平均電力に対する各セグメントの相対値を棒グラフ５５で示したものを、セグメント連結送信信号内で連結されているセグメントの連結順に左から並べて１つのグラフ（Ｒｅｌａｔｉｖｅ Ｌｅｖｅｌ ｖｓ Ｓｅｇｍｅｎｔ）５２として表示している。
【００５１】
グラフ（Ｒｅｌａｔｉｖｅ Ｌｅｖｅｌ ｖｓ Ｓｅｇｍｅｎｔ）５２の左側には、グラフの縦軸スケールを示す−２０ｄＢ、０ｄＢ、＋１０ｄＢが表示され、下側にはグラフ横軸のスケールとして左側より周波数順に連結されたセグメント番号を示す０、１６、３２が表示されている。なお、グラフの縦軸のスケール表示は一例であり、測定値に応じて変更が可能である。横軸のスケールについても同様に表示は一例であり変更が可能である。
【００５２】
また、グラフ（Ｒｅｌａｔｉｖｅ Ｌｅｖｅｌ ｖｓ Ｓｅｇｍｅｎｔ）５２内には、相対値０ｄＢの位置を示すライン５４と、タイプＡスーパーセグメントのくくりを示すライン５６が表示されている。なお、ラインによりスーパーセグメントのくくりを表示するのではなく、背景色等を変える等によりスーパーセグメントのくくりが識別できるように表示してもよい。
【００５３】
さらに、各セグメントの相対値を示した棒グラフ５５の内、タイプＡスーパーセグメントの中央セグメント５７を他のセグメントとは表示色や模様を変えることにより識別可能に表示している。
【００５４】
また、上段右側に表示される特定セグメント（１Ｓｅｇｍｅｎｔ  ＠Ｎｏ）５１の表示と連動して、図示しない操作部から指定されたセグメントが他のセグメントとは表示色や模様を変えることにより識別可能に表示することができる。ここでは指定されたセグメント（セグメント２３）５８が識別可能に表示されている。
【００５５】
なお、タイプＡスーパーセグメントの中央セグメント５７やタイプＡスーパーセグメントのくくりを示すライン５６は常時表示するのではなく、図示しない操作部からの指定により表示、非表示を選択するようにすることも可能である。
【００５６】
グラフ（Ｒｅｌａｔｉｖｅ Ｌｅｖｅｌ ｖｓ Ｓｅｇｍｅｎｔ）５２の右にはセグメント連結送信信号全体の電力が棒グラフ（ＡＬＬ）５３として表示されグラフ右側には縦軸スケールとし０、＋１２０と単位であるｄＢμＶが表示されている。なお、セグメント連結送信信号全体の電力を表示した棒グラフ（ＡＬＬ）５３を、グラフ（Ｒｅｌａｔｉｖｅ Ｌｅｖｅｌ ｖｓ Ｓｅｇｍｅｎｔ）５２と同一画面で表示するのではなく、別画面に表示したり、図示しない操作部からの指定により表示、非表示を選択するようにすることも可能である。なお、グラフの縦軸のスケール表示は一例であり、測定に応じて変更が可能である。
【００５７】
次に、本発明の電界強度測定方法について説明する。
測定地点でセグメント連結送信信号を受信し、中間周波数帯に変換する。そして中間周波数帯に変換されたセグメント連結送信信号の電界強度Ｆおよび信号電力Ｐを測定するとともに、３３セグメントのそれぞれのセグメントについて信号電力Ｐseg０〜Ｐseg３２および電界強度Ｆseg０〜Ｆseg３２を測定する。
【００５８】
次に、測定したセグメント連結送信信号の電界強度Ｆおよび信号電力Ｐとセグメント連結送信信号のセグメント数ｍ（＝３３）とから１セグメントあたりの電力Ｐｒおよび電界強度Ｆｒをすでに説明した演算により求める。
【００５９】
次に求めた１セグメントあたりの電力Ｐｒに対する各セグメントの実測の電力Ｐseg０〜Ｐseg３２の相対値であるΔＰ０〜ΔＰ３２および、１セグメントあたりの電界強度Ｆｒに対する各セグメントの実測の電界強度Ｆseg０〜Ｆseg３２の相対値であるΔＦ０〜ΔＦ３２をすでに説明した演算により算出する。
【００６０】
そして、セグメント連結送信信号の電力Ｐ、セグメント連結送信信号の電界強度Ｆ、１セグメント当たりの電力Ｐｒ、１セグメント当たりの電界強度Ｆｒ、各セグメントの電力Ｐseg０〜Ｐseg３２、各セグメントの電界強度Ｆseg０〜Ｆseg３２ 、電界強度Ｆｒに対する各セグメントの実測の電界強度Ｆsegの相対値ΔＦ０〜ΔＦ３２の情報を表示器２７の画面上に所定のレイアウトで表示する。表示レイアウトの一例は図２であり、すでに説明しているので省略する。
【００６１】
このように実施形態の電界強度測定装置２０および電界測定方法では、セグメント連結送信信号の電力Ｐ、電界強度Ｆだけでなく、各セグメントの電力Ｐseg 、電界強度Ｆseg を実測して、その実測結果と、セグメント連結送信信号の１セグメント当たりの電界強度Ｆｒや電力Ｐｒの平均値との差が識別できるように表示している。
【００６２】
このため、単に特定セグメントの電力や電界強度が規定レベル以上か否かの判定だけでなく、特定セグメントの電力や電界強度がセグメント連結送信信号内で平均値に対してどのようなレベルにあるか否かを一目で判定でき、マルチパスの影響も把握することができる。
【００６３】
また、セグメント連結送信信号全体の信号電力や電界強度の絶対値に依存することなく、１セグメントあたりの信号電力や電界強度の平均値に対する各セグメントの実測の信号電力や電界強度の相対値を表示することにより、マルチパスによる各セグメント間の信号電力や電界強度のばらつきを適切なスケールで表示し確認することが出来る。
【００６４】
ここで、上述の電界強度測定装置２０の実施形態では、セグメント平均値算出手段２４が電界強度Ｆｒと電力Ｐｒの両方を求めていたが、セグメントについての実測値と平均値とを電界強度のみで表す場合、セグメント平均値算出手段２４は電界強度Ｆｒのみを求めればよく、セグメントについての実測値と平均値とを電力値のみで表す場合、セグメント平均値算出手段２４は電力値Ｐｒのみを求めればよい。また、電界強度測定装置についても同様である。
【００６５】
なお、以上の説明では、地上マルチメディア放送波として３３セグメントの信号がセグメント連結送信信号として使用される技術規格ＩＳＤＢ−Ｔｍｍについて説明したが、他の技術規格であるＩＳＤＢ−ＴやＩＳＤＢ−Ｔｓｂなどを測定する場合にも、連結されるセグメント数やスーパーセグメントの配置について変更することにより同様に適用することが出来る。
【符号の説明】
【００６６】
１…アンテナ、２０…電界強度測定装置、２１…周波数変換部、２２…セグメント連結送信信号測定部、２３…セグメント測定部、２４…セグメント平均値算出手段、２５…相対値算出手段、２６…表示制御部、２７…表示器、２６１…測定結果表示制御部、２６１…セグメント連結表示制御部、２６３…スーパーセグメント表示制御部、２６４…特定セグメント表示制御部
【図１】
0005453379.tif 000002
【図２】
0005453379.tif 000003
【図３】
0005453379.tif 000004
【図４】
0005453379.tif 000005
【図５】
0005453379.tif 000006
【図６】
0005453379.tif 000007